(57)【要約】【課題】  フラッシュ撮影時に、特に近距離にある被写体に対して最適な露出制御及び撮影感度の設定を行うことができる撮影装置及び露出制御方法を提供する。【解決手段】  撮影スイッチが半押しされると（Ｓ１オン）、ＡＥ、ＡＦ処理が実行され（ステップＳ１０、Ｓ１２）、撮影感度が高感度に設定されて（ステップＳ１４）、プリ発光画像が取り込まれる（ステップＳ１６）。次に、プリ発光画像の分割エリアごとの画像信号の積算値が取得され（ステップＳ１８）、積算値が閾値Ａより大きい分割エリアの数ＬＦが計数される（ステップＳ２２からＳ２８）。ＬＦが閾値Ｂ以下の場合には（ステップＳ３０のＮｏ）、上記プリ発光画像に基づいて本発光時の撮影感度、露出値及び発光時間が算出、設定されて（ステップＳ３２、Ｓ３４）、本発光撮影が行われる（ステップＳ３６）。一方、ＬＦが閾値Ｂより大きい場合には（ステップＳ３０のＹｅｓ）、撮影感度を下げて（ステップＳ３８のＹｅｓ、ステップＳ４０）、再度プリ発光が行われる。【選択図】      図２
2008083243.tif 000002
【特許請求の範囲】
【請求項１】
被写体の画像を撮影する撮影手段と、
撮影時に発光して前記被写体を照明する照明手段と、
本発光撮影に先立って前記照明手段をプリ発光させて、前記撮影手段によりプリ発光撮影を行うプリ発光制御手段と、
前記プリ発光撮影により取得されたプリ発光画像を所定の分割エリアに分割し、該分割エリアごとに画像信号の積算値を算出する算出手段と、
前記積算値に基づいて再度プリ発光撮影を行うかどうかを判定する判定手段と、
前記判定手段により再度プリ発光撮影を行うと判定された場合に、前回のプリ発光撮影時より撮影感度を下げて、前記プリ発光制御手段によりプリ発光撮影を行う制御手段と、
前記判定手段により再度のプリ発光撮影は行わないと判定された場合に、直前のプリ発光撮影により取得されたプリ発光画像に基づいて本発光撮影時の露出制御を行う露出制御手段と、
を備えることを特徴とする撮影装置。
【請求項２】
被写体の画像を撮影する撮影手段と、
撮影時に発光して前記被写体を照明する照明手段と、
本発光撮影に先立って前記照明手段をプリ発光させて、前記撮影手段によりプリ発光撮影を行うプリ発光制御手段と、
前記プリ発光撮影により取得されたプリ発光画像を所定の分割エリアに分割し、該分割エリアごとに画像信号の積算値を算出する算出手段と、
前記積算値に基づいて再度プリ発光撮影を行うかどうかを判定する判定手段と、
前記判定手段により再度プリ発光撮影を行うと判定された場合に、前回のプリ発光撮影時より照明手段の発光量を下げて、前記プリ発光制御手段によりプリ発光撮影を行う制御手段と、
前記判定手段により再度のプリ発光撮影は行わないと判定された場合に、直前のプリ発光撮影により取得されたプリ発光画像に基づいて本発光撮影時の露出制御を行う露出制御手段と、
を備えることを特徴とする撮影装置。
【請求項３】
前記判定手段は、前記プリ発光画像から算出された積算値が所定値を越える分割エリアの数が所定数以下になった場合に、再度のプリ発光撮影は行わないと判定することを特徴とする請求項１又は２記載の撮影装置。
【請求項４】
前記露出制御手段は、前記撮影感度を設定可能な最小の感度に設定して取得したプリ発光画像において、前記積算値が所定値を越える分割エリアの数が所定数より多い場合には、前記最小の感度で取得したプリ発光画像に基づいて本発光撮影時の露出制御を行うことを特徴とする請求項３記載の撮影装置。
【請求項５】
被写体の画像を撮影する撮影手段と、
撮影時に発光して前記被写体を照明する照明手段と、
本発光撮影に先立って、異なる撮影感度の設定の下、前記照明手段を複数回プリ発光させて、前記撮影手段によりプリ発光撮影を行うプリ発光制御手段と、
前記プリ発光撮影により取得された複数のプリ発光画像をそれぞれ所定の分割エリアに分割して、該分割エリアごとに画像信号の積算値を算出する算出手段と、
前記積算値に基づいて、前記複数のプリ発光画像のうち露出制御に用いるプリ発光画像を選択する選択手段と、
前記選択手段により選択されたプリ発光画像に基づいて本発光撮影時の露出制御を行う露出制御手段と、
を備えることを特徴とする撮影装置。
【請求項６】
前記選択手段は、前記積算値が所定値を越える分割エリアを含まないプリ発光画像のうち最も高い撮影感度で撮影されたプリ発光画像を選択することを特徴とする請求項５記載の撮影装置。
【請求項７】
前記露出制御手段は、本発光撮影時の撮影感度、露出値、前記照明手段の発光時間又は発光強度のうち少なくとも１つを制御することを特徴とする請求項１から６のいずれか１項記載の撮影装置。
【請求項８】
被写体の画像を撮影する撮影工程と、
本発光撮影に先立って、照明手段をプリ発光させてプリ発光撮影を行うプリ発光制御工程と、
前記プリ発光撮影により取得されたプリ発光画像を所定の分割エリアに分割し、該分割エリアごとに画像信号の積算値を算出する算出工程と、
前記積算値に基づいて再度プリ発光撮影を行うかどうかを判定する判定工程と、
前記判定工程において再度プリ発光撮影を行うと判定された場合に、前回のプリ発光撮影時より撮影感度を下げて再度プリ発光撮影を行う制御工程と、
前記判定工程において再度のプリ発光撮影は行わないと判定された場合に、直前のプリ発光撮影により取得されたプリ発光画像に基づいて本発光撮影時の露出制御を行う露出制御工程と、
を備えることを特徴とする露出制御方法。
【請求項９】
被写体の画像を撮影する撮影工程と、
本発光撮影に先立って、照明手段をプリ発光させてプリ発光撮影を行うプリ発光制御工程と、
前記プリ発光撮影により取得されたプリ発光画像を所定の分割エリアに分割し、該分割エリアごとに画像信号の積算値を算出する算出工程と、
前記積算値に基づいて再度プリ発光撮影を行うかどうかを判定する判定工程と、
前記判定工程において再度プリ発光撮影を行うと判定された場合に、前回のプリ発光撮影時より照明手段の発光量を下げて、前記プリ発光制御工程によりプリ発光撮影を行う制御工程と、
前記判定工程において再度のプリ発光撮影は行わないと判定された場合に、直前のプリ発光撮影により取得されたプリ発光画像に基づいて本発光撮影時の露出制御を行う露出制御工程と、
を備えることを特徴とする露出制御方法。
【請求項１０】
前記判定工程では、前記プリ発光画像から算出された積算値が所定値を越える分割エリアの数が所定数以下になった場合に、再度のプリ発光撮影は行わないと判定することを特徴とする請求項８又は９記載の露出制御方法。
【請求項１１】
前記露出制御工程では、前記撮影感度を設定可能な最小の感度に設定して取得したプリ発光画像において、前記積算値が所定値を越える分割エリアの数が所定数より多い場合には、前記最小の感度で取得したプリ発光画像に基づいて本発光撮影時の露出制御を行うことを特徴とする請求項１０記載の露出制御方法。
【請求項１２】
被写体の画像を撮影する撮影工程と、
本発光撮影に先立って、異なる撮影感度の設定の下、照明手段を複数回プリ発光させてプリ発光撮影を行うプリ発光制御工程と、
前記プリ発光撮影により取得された複数のプリ発光画像をそれぞれ所定の分割エリアに分割して、該分割エリアごとに画像信号の積算値を算出する算出工程と、
前記積算値に基づいて、前記複数のプリ発光画像のうち露出制御に用いるプリ発光画像を選択する選択工程と、
前記選択工程において選択されたプリ発光画像に基づいて本発光撮影時の露出制御を行う露出制御工程と、
を備えることを特徴とする露出制御方法。
【請求項１３】
前記選択工程では、前記積算値が所定値を越える分割エリアを含まないプリ発光画像のうち最も高い撮影感度で撮影されたプリ発光画像を選択することを特徴とする請求項１２記載の露出制御方法。
【請求項１４】
前記露出制御工程では、本発光撮影時の撮影感度、露出値、前記照明工程の発光時間又は発光強度のうち少なくとも１つを制御することを特徴とする請求項８から１３のいずれか１項記載の露出制御方法。
【発明の詳細な説明】
【技術分野】
【０００１】
本発明は撮影装置及び露出制御方法に係り、特にフラッシュ撮影時における露出を制御する技術に関する。
【背景技術】
【０００２】
従来、フラッシュ撮影を行う際に、被写体までの距離を測定し、測定した距離が本発光の光量では露光不足となる距離以上であるときに、この距離に応じて映像信号の増幅率を上げて、露光不足による画質の低下を補正することが提案されている（例えば、特許文献１、２及び４）。
【０００３】
特許文献３には、一定光量の予備発光を複数回行い、各予備発光に対して得られた撮像素子の出力信号を異なる増幅率で増幅し、増幅した出力信号のうち平均レベルが所定範囲にあるものに基づいて本発光の光量を演算するストロボ装置について開示されている。また、特許文献３には、被写体までの距離を測定し、測定した距離に基づいて予備発光の光量を制御するストロボ装置が開示されている。
【０００４】
特許文献５には、人物の顔の検出結果（画面内で顔の占める割合又は逆光かどうか）に基づき、ストロボ発光手段を制御する撮像装置が開示されている。また、特許文献６には、撮像画像内から検出された顔領域に応じて調光制御領域を決定し、この調光制御領域におけるプリ発光時の測光値に応じてメイン発光量を演算する撮像装置が開示されている。
【特許文献１】特開平６−１２１２２５号公報
【特許文献２】特開平１１−４１５１５号公報
【特許文献３】特開平１１−８４４８９号公報
【特許文献４】特開２０００−１３４５３３号公報
【特許文献５】特開２００３−１０７５６７号公報
【特許文献６】特開２００５−１８４５０８号公報
【発明の開示】
【発明が解決しようとする課題】
【０００５】
最近では、電子カメラの撮影感度の高感度化が進んでいる。しかしながら、撮影感度を高感度に設定してフラッシュ撮影を行うと、一定以上の明るさの被写体（特に、近距離にある被写体）が真っ白に塗りつぶされてしまう白トビという現象が起こる。
【０００６】
上記特許文献１、２及び４では、被写体までの距離情報により出力信号の増幅率を制御しているが、撮影環境が暗く被写体までの距離情報の測定が不可能な場合には、距離情報が得られず適切な増幅率の制御ができないという問題があった。また、特許文献３では、増幅した出力信号の平均レベルに基づいて本発光の光量を演算しているため、画像の一部が白トビしていても他の部分が暗ければ出力信号の平均レベルが所定範囲に収まってしまい、白トビを避けるような本発光の光量制御ができないという問題があった。また、特許文献５及び６は、撮影感度の設定を考慮したものではなかった。
【０００７】
本発明はこのような事情に鑑みてなされたもので、フラッシュ撮影時に、特に近距離にある被写体に対して最適な露出制御及び撮影感度の設定を行うことができる撮影装置及び露出制御方法を提供することを目的とする。
【課題を解決するための手段】
【０００８】
上記課題を解決するために、本願発明１に係る撮影装置は、被写体の画像を撮影する撮影手段と、撮影時に発光して前記被写体を照明する照明手段と、本発光撮影に先立って前記照明手段をプリ発光させて、前記撮影手段によりプリ発光撮影を行うプリ発光制御手段と、前記プリ発光撮影により取得されたプリ発光画像を所定の分割エリアに分割し、該分割エリアごとに画像信号の積算値を算出する算出手段と、前記積算値に基づいて再度プリ発光撮影を行うかどうかを判定する判定手段と、前記判定手段により再度プリ発光撮影を行うと判定された場合に、前回のプリ発光撮影時より撮影感度を下げて、前記プリ発光制御手段によりプリ発光撮影を行う制御手段と、前記判定手段により再度のプリ発光撮影は行わないと判定された場合に、直前のプリ発光撮影により取得されたプリ発光画像に基づいて本発光撮影時の露出制御を行う露出制御手段とを備えることを特徴とする。
【０００９】
本願発明１によれば、プリ発光画像から算出された分割エリアの積算値が好ましい値になるまで、撮影感度を下げてプリ発光を行うことにより、特に近距離にある被写体が白トビするのを防止することができる。
【００１０】
本願発明２に係る撮影装置は、被写体の画像を撮影する撮影手段と、撮影時に発光して前記被写体を照明する照明手段と、本発光撮影に先立って前記照明手段をプリ発光させて、前記撮影手段によりプリ発光撮影を行うプリ発光制御手段と、前記プリ発光撮影により取得されたプリ発光画像を所定の分割エリアに分割し、該分割エリアごとに画像信号の積算値を算出する算出手段と、前記積算値に基づいて再度プリ発光撮影を行うかどうかを判定する判定手段と、前記判定手段により再度プリ発光撮影を行うと判定された場合に、前回のプリ発光撮影時より照明手段の発光量を下げて、前記プリ発光制御手段によりプリ発光撮影を行う制御手段と、前記判定手段により再度のプリ発光撮影は行わないと判定された場合に、直前のプリ発光撮影により取得されたプリ発光画像に基づいて本発光撮影時の露出制御を行う露出制御手段とを備えることを特徴とする。
【００１１】
本願発明２によれば、プリ発光画像から算出された分割エリアの積算値が好ましい値になるまで、照明手段の発光量（発光時間又は発光強度）を下げてプリ発光を行うことにより、特に近距離にある被写体が白トビするのを防止することができる。
【００１２】
本願発明３は、本願発明１又は２の撮影装置において、前記判定手段は、前記プリ発光画像から算出された積算値が所定値を越える分割エリアの数が所定数以下になった場合に、再度のプリ発光撮影は行わないと判定することを特徴とする。
【００１３】
本願発明３によれば、積算値が高い分割エリアの数が所定値以下になるまで、撮影感度又は照明手段の発光量を下げてプリ発光を行うことにより、特に近距離にある被写体が白トビするのを防止することができる。
【００１４】
本願発明４は、本願発明３の撮影装置において、前記露出制御手段は、前記撮影感度を設定可能な最小の感度に設定して取得したプリ発光画像において、前記積算値が所定値を越える分割エリアの数が所定数より多い場合には、前記最小の感度で取得したプリ発光画像に基づいて本発光撮影時の露出制御を行うことを特徴とする。
【００１５】
本願発明４は、撮影感度が最低にしても積算値の数が所定値以下にならない場合には、最小の感度で取得したプリ発光画像に基づいて本発光撮影時の露出制御を行うようにしたものである。
【００１６】
本願発明５に係る撮影装置は、被写体の画像を撮影する撮影手段と、撮影時に発光して前記被写体を照明する照明手段と、本発光撮影に先立って、異なる撮影感度の設定の下、前記照明手段を複数回プリ発光させて、前記撮影手段によりプリ発光撮影を行うプリ発光制御手段と、前記プリ発光撮影により取得された複数のプリ発光画像をそれぞれ所定の分割エリアに分割して、該分割エリアごとに画像信号の積算値を算出する算出手段と、前記積算値に基づいて、前記複数のプリ発光画像のうち露出制御に用いるプリ発光画像を選択する選択手段と、前記選択手段により選択されたプリ発光画像に基づいて本発光撮影時の露出制御を行う露出制御手段とを備えることを特徴とする。
【００１７】
本願発明５によれば、分割エリアの積算値が好ましい値のプリ発光画像を用いて露出制御を行うことにより、特に近距離にある被写体が白トビするのを防止することができる。
【００１８】
本願発明６は、本願発明５の撮影装置において、前記選択手段は、前記積算値が所定値を越える分割エリアを含まないプリ発光画像のうち最も高い撮影感度で撮影されたプリ発光画像を選択することを特徴とする。
【００１９】
本願発明６によれば、プリ発光画像から得られた分割エリアの積算値の最大値が所定値以下になるもの、即ち、画像信号が頭打ちになったり、飽和した分割エリアを含まないプリ発光画像のうち最も高い撮影感度で撮影されたものに基づいて露出制御を行うことにより、特に近距離にある被写体が白トビするのを防止することができる。
【００２０】
本願発明７は、本願発明１から６の撮影装置において、前記露出制御手段は、本発光撮影時の撮影感度、露出値、前記照明手段の発光時間又は発光強度のうち少なくとも１つを制御することを特徴とする。
【００２１】
本願発明８に係る露出制御方法は、被写体の画像を撮影する撮影工程と、本発光撮影に先立って、照明手段をプリ発光させてプリ発光撮影を行うプリ発光制御工程と、前記プリ発光撮影により取得されたプリ発光画像を所定の分割エリアに分割し、該分割エリアごとに画像信号の積算値を算出する算出工程と、前記積算値に基づいて再度プリ発光撮影を行うかどうかを判定する判定工程と、前記判定工程において再度プリ発光撮影を行うと判定された場合に、前回のプリ発光撮影時より撮影感度を下げて再度プリ発光撮影を行う制御工程と、前記判定工程において再度のプリ発光撮影は行わないと判定された場合に、直前のプリ発光撮影により取得されたプリ発光画像に基づいて本発光撮影時の露出制御を行う露出制御工程とを備えることを特徴とする。
【００２２】
本願発明９に係る露出制御方法は、被写体の画像を撮影する撮影工程と、本発光撮影に先立って、照明手段をプリ発光させてプリ発光撮影を行うプリ発光制御工程と、前記プリ発光撮影により取得されたプリ発光画像を所定の分割エリアに分割し、該分割エリアごとに画像信号の積算値を算出する算出工程と、前記積算値に基づいて再度プリ発光撮影を行うかどうかを判定する判定工程と、前記判定工程において再度プリ発光撮影を行うと判定された場合に、前回のプリ発光撮影時より照明手段の発光量を下げて、前記プリ発光制御工程によりプリ発光撮影を行う制御工程と、前記判定工程において再度のプリ発光撮影は行わないと判定された場合に、直前のプリ発光撮影により取得されたプリ発光画像に基づいて本発光撮影時の露出制御を行う露出制御工程とを備えることを特徴とする。
【００２３】
本願発明１０は、本願発明８又は９の露出制御方法において、前記判定工程では、前記プリ発光画像から算出された積算値が所定値を越える分割エリアの数が所定数以下になった場合に、再度のプリ発光撮影は行わないと判定することを特徴とする。
【００２４】
本願発明１１は、本願発明１０の露出制御方法において、前記露出制御工程では、前記撮影感度を設定可能な最小の感度に設定して取得したプリ発光画像において、前記積算値が所定値を越える分割エリアの数が所定数より多い場合には、前記最小の感度で取得したプリ発光画像に基づいて本発光撮影時の露出制御を行うことを特徴とする。
【００２５】
本願発明１２に係る露出制御方法は、被写体の画像を撮影する撮影工程と、本発光撮影に先立って、異なる撮影感度の設定の下、照明手段を複数回プリ発光させてプリ発光撮影を行うプリ発光制御工程と、前記プリ発光撮影により取得された複数のプリ発光画像をそれぞれ所定の分割エリアに分割して、該分割エリアごとに画像信号の積算値を算出する算出工程と、前記積算値に基づいて、前記複数のプリ発光画像のうち露出制御に用いるプリ発光画像を選択する選択工程と、前記選択工程において選択されたプリ発光画像に基づいて本発光撮影時の露出制御を行う露出制御工程とを備えることを特徴とする。
【００２６】
本願発明１３は、本願発明１２の露出制御方法において、前記選択工程では、前記積算値が所定値を越える分割エリアを含まないプリ発光画像のうち最も高い撮影感度で撮影されたプリ発光画像を選択することを特徴とする。
【００２７】
本願発明１４は、本願発明８から１３の露出制御方法において、前記露出制御工程では、本発光撮影時の撮影感度、露出値、前記照明工程の発光時間又は発光強度のうち少なくとも１つを制御することを特徴とする。
【発明の効果】
【００２８】
本発明によれば、分割エリアの積算値が好ましい値のプリ発光画像を用いて露出制御を行うことにより、特に近距離にある被写体が白トビするのを防止することができる。
【発明を実施するための最良の形態】
【００２９】
以下、添付図面に従って本発明に係る撮影装置及び露出制御方法の好ましい実施の形態について説明する。
【００３０】
［第１の実施形態］
図１は、本発明の第１の実施形態に係る撮影装置の主要構成を示すブロック図である。図１に示す撮影装置１は、静止画や動画の記録及び再生機能を備えた電子カメラであり、撮影装置１全体の動作は中央処理装置（ＣＰＵ）１０によって統括制御される。ＣＰＵ１０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路１２は、本カメラシステムの各ブロックに電源を供給する。
【００３１】
ＣＰＵ１０には、バス１４を介してＲＯＭ（Read Only Memory）１６及びＥＥＰＲＯＭ（Electronically Erasable and Programmable Read Only Memory）１８が接続されている。ＲＯＭ１６には、ＣＰＵ１０が実行するプログラム及び制御に必要な各種データ等が格納され、ＥＥＰＲＯＭ１８には、ＣＣＤ画素欠陥情報、カメラ動作に関する各種定数／情報等が格納されている。
【００３２】
また、メモリ（ＳＤＲＡＭ、Synchronous Dynamic Random Access Memory）２０は、プログラムの展開領域及びＣＰＵ１０の演算作業用領域として利用されるとともに、画像データや音声データの一時記憶領域として利用される。ＶＲＡＭ（Video Random Access Memory）２２は、画像データ専用の一時記憶メモリであり、Ａ領域とＢ領域を含んでいる。なお、メモリ２０とＶＲＡＭ２２は共用することが可能である。
【００３３】
撮影装置１には、モード選択スイッチ、撮影スイッチ、メニュー／ＯＫキー、十字キー、キャンセルキー等の操作スイッチ２４が設けられている。これら各種の操作スイッチからの信号はＣＰＵ１０に入力され、ＣＰＵ１０は入力信号に基づいて撮影装置１の各回路を制御し、例えば、レンズ駆動制御、撮影動作制御、画像処理制御、画像データの記録／再生制御、画像表示装置２６の表示制御等を行う。
【００３４】
モード選択スイッチは、撮影モードと再生モードとを切り換えるための操作手段である。撮影スイッチは、撮影開始の指示を入力する操作ボタンであり、半押し時にオンするＳ１スイッチと、全押し時にオンするＳ２スイッチとを有する２段ストローク式のスイッチで構成されている。メニュー／ＯＫキーは、画像表示装置２６の画面上にメニューを表示させる指令を行うためのメニューボタンとしての機能と、選択内容の確定及び実行等を指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上キー及び下キーは撮影時のズームスイッチあるいは再生時の再生ズームスイッチとして機能し、左キー及び右キーは再生モード時のコマ送り（順方向／逆方向送り）ボタンとして機能する。キャンセルキーは、選択項目等所望の対象の消去や指示内容の取り消し、あるいは１つ前の操作状態に戻す時等に使用される。フラッシュボタンは、フラッシュモードを切り替えるボタンとして機能し、撮影モードの下、フラッシュボタンを押圧操作することにより、フラッシュモードが、フラッシュ発光／発光禁止の各モードに設定される。
【００３５】
画像表示装置２８は、カラー表示可能な液晶モニタで構成されている。画像表示装置２６は、撮影時に画角確認用の電子ファインダとして使用できるとともに、記録済み画像を再生表示する手段として利用される。また、画像表示装置２６は、ユーザインターフェース用の表示画面としても利用され、メニュー情報や選択項目、設定内容等の情報が表示される。なお、画像表示装置２６としては、液晶モニタのほか、有機ＥＬ（electro-luminescence）等の他の方式の表示装置を用いることも可能である。
【００３６】
撮影装置１は、メディアソケット（メディア装着部）２８を有し、メディアソケット２８には記録メディア３０を装着することができる。記録メディア３０の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。メディアコントローラ３２は、メディアソケット２８に装着される記録メディア３０に適した入出力信号の受渡しを行うために所要の信号変換を行う。
【００３７】
また、撮影装置１は、パーソナルコンピュータその他の外部機器と接続するための通信手段として外部接続インターフェース部（外部接続Ｉ／Ｆ）３４を備えている。撮影装置１は、図示せぬＵＳＢケーブル等を用いて撮影装置１と外部機器を接続することにより、外部機器との間でデータの受渡しが可能となる。なお、撮影装置１と外部機器との間の通信方式はＵＳＢに限定されるものではなく、IEEE1394やBluetooth（登録商標）、その他の通信方式を適用してもよい。
【００３８】
［撮影モード］
次に、撮影装置１の撮影機能について説明する。モード選択スイッチによって撮影モードが選択されると、カラーＣＣＤ固体撮像素子３６（以下の説明では、ＣＣＤ３６と記載する）を含む撮影部に電源が供給され、撮影可能な状態になる。
【００３９】
レンズユニット３８は、フォーカスレンズ４０及びズームレンズ４２を含む撮影レンズ４４と、絞り兼用メカシャッタ４６とを含む光学ユニットである。撮影レンズ４４のフォーカシングは、フォーカスレンズ４０をフォーカスモータ４０Ａによって移動させることにより行われ、ズーミングは、ズームレンズ４２をズームモータ４２Ａで移動させることにより行われる。フォーカスモータ４０Ａとズームモータ４２Ａは、それぞれフォーカスモータドライバ４０Ｂとズームモータドライバ４２Ｂにより駆動制御される。ＣＰＵ１０は、このフォーカスモータドライバ４０Ｂとズームモータドライバ４２Ｂに制御信号を出力して制御する。
【００４０】
絞り４６は、いわゆるターレット型絞りで構成されており、Ｆ２．８からＦ８の絞り孔が穿孔されたターレット板を回転させて絞り値（Ｆ値）を変化させる。この絞り４６の駆動はアイリスモータ４６Ａによって行われる。アイリスモータ４６Ａはアイリスモータドライバ４６Ｂにより駆動制御される。ＣＰＵ１０は、このアイリスモータドライバ４６Ｂに制御信号を出力して制御する。
【００４１】
レンズユニット３８を通過した光は、ＣＣＤ３６の受光面に結像される。ＣＣＤ３６の受光面には多数のフォトダイオード（受光素子）が２次元的に配列されており、各フォトダイオードに対応して赤（Ｒ）、緑（Ｇ）、青（Ｂ）の原色カラーフィルタが所定の配列構造で配置されている。ＣＣＤ３６は、各フォトダイオードの電荷蓄積時間（シャッタースピード）を制御する電子シャッター機能を有している。ＣＰＵ１０は、タイミングジェネレータ（ＴＧ）４８を介してＣＣＤ３６での電荷蓄積時間を制御する。また、ＣＰＵ１０は、ＣＣＤ３６に対して、ＯＦＤ（Overflow Drain）の電位を制御して、ＣＣＤ３６を構成するフォトダイオードに蓄積される信号電荷の上限値を調整する。
【００４２】
ＣＣＤ３６の受光面に結像された被写体像は、各フォトダイオードによって入射光量に応じた量の信号電荷に変換される。各フォトダイオードに蓄積された信号電荷は、ＣＰＵ１０の指令に従いＴＧ４８から与えられる駆動パルス（読み出しパルス、垂直転送クロック、水平転送クロック）に基づいて信号電荷に応じた電圧信号（画像信号）として順次読み出される。
【００４３】
ＣＣＤ３６から読み出された画像信号はアナログ処理部（ＣＤＳ／ＡＭＰ）５０に送られ、ここで画素ごとのＲ、Ｇ、Ｂ信号がサンプリングホールド（相関２重サンプリング処理）されて増幅された後、Ａ／Ｄ変換器５２に加えられる。Ａ／Ｄ変換器５２によってデジタル信号に変換された点順次のＲ、Ｇ、Ｂ信号は、画像入力コントローラ５４を介してメモリ２０に記憶される。アナログ処理部５０におけるＲ、Ｇ、Ｂ信号の増幅ゲインは、撮影感度（ＩＳＯ感度）に相当し、ＣＰＵ１０は、この増幅ゲインを調整することにより撮影感度を設定する。なお、撮影感度の制御方法については後述する。
【００４４】
画像信号処理回路５６は、同時化回路（単板ＣＣＤのカラーフィルタ配列に伴う色信号の空間的なズレを補間して色信号を同時式に変換する処理回路）、ホワイトバランス調整回路、階調変換処理回路（例えば、ガンマ補正回路）、輪郭補正回路、輝度・色差信号生成回路等を含む画像処理手段として機能し、ＣＰＵ１０からのコマンドに従ってメモリ２０を活用しながら、メモリ２０に記憶されたＲ、Ｇ、Ｂ信号に対して所定の信号処理を行う。
【００４５】
画像信号処理回路５６に入力されたＲ、Ｇ、Ｂ信号は、画像信号処理回路５６において輝度信号（Ｙ信号）及び色差信号（Ｃｒ、Ｃｂ信号）に変換されるとともに、階調変換処理（例えば、ガンマ補正）等の所定の処理が施される。画像信号処理回路５６により処理された画像データはＶＲＡＭ２２に格納される。
【００４６】
撮影画像を画像表示装置２６にモニタ出力する場合、ＶＲＡＭ２２から画像データが読み出され、バス１４を介してビデオエンコーダ５８に送られる。ビデオエンコーダ５８は、入力された画像データを表示用の所定方式のビデオ信号（例えば、ＮＴＳＣ方式のカラー複合画像信号）に変換して画像表示装置２６に出力する。
【００４７】
ＣＣＤ３６から出力される画像信号によって、１コマ分の画像を表す画像データがＶＲＡＭ２２のＡ領域とＢ領域とで交互に書き換えられる。ＶＲＡＭ２２のＡ領域及びＢ領域のうち、画像データが書き換えられている方の領域以外の領域から、書き込まれている画像データが読み出される。このようにしてＶＲＡＭ２２内の画像データが定期的に書き換えられ、その画像データから生成される画像信号が画像表示装置２６に供給されることにより、撮影中の映像がリアルタイムに画像表示装置２６に表示される。撮影者は、画像表示装置２６に表示される映像（スルームービー画）によって撮影画角を確認できる。
【００４８】
撮影スイッチが半押しされ、Ｓ１がオンすると、撮影装置１はＡＥ及びＡＦ処理を開始する。即ち、ＣＣＤ３６から出力された画像信号はＡ／Ｄ変換後に画像入力コントローラ５４を介してＡＦ検出回路６０並びにＡＥ／ＡＷＢ検出回路６２に入力される。
【００４９】
ＡＥ／ＡＷＢ検出回路６２は、１画面を複数の分割エリア（例えば、８×８又は１６×１６）に分割し、この分割エリアごとにＲ、Ｇ、Ｂ信号を積算する回路を含み、その積算値をＣＰＵ１０に提供する。ＣＰＵ１０は、ＡＥ／ＡＷＢ検出回路６２から得た積算値に基づいて被写体の明るさ（被写体輝度）を検出し、撮影に適した露出値（撮影ＥＶ値）を算出する。ＣＰＵ１０は、求めた露出値と所定のプログラム線図に従って、絞り値とシャッタースピードを決定し、これに従いＣＣＤ３６の電子シャッター及びアイリスを制御して適正な露光量を得る。
【００５０】
更に、ＣＰＵ１０は、フラッシュ発光モードに設定された場合にフラッシュ制御回路６４にコマンドを送って動作させる。フラッシュ制御回路６４は、フラッシュ発光部６６（放電管）を発光させるための電流を供給するためのメインコンデンサを含んでおり、ＣＰＵ１０からのフラッシュ発光指令に従ってメインコンデンサの充電制御、フラッシュ発光部６６への放電（発光）のタイミング及び放電時間の制御等を行う。なお、フラッシュ発光手段としては、放電管に代えてＬＥＤを用いることも可能である。
【００５１】
また、ＡＥ／ＡＷＢ検出回路６２は、自動ホワイトバランス調整時に、分割エリアごとにＲ、Ｇ、Ｂ信号の色別の平均積算値を算出し、その算出結果をＣＰＵ１０に提供する。ＣＰＵ１０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００５２】
撮影装置１におけるＡＦ制御は、例えば、画像信号のＧ信号の高周波成分が極大になるようにフォーカスレンズ４０を移動させるコントラストＡＦが適用される。即ち、ＡＦ検出回路６０は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００５３】
ＡＦ検出回路６０により求められた積算値のデータはＣＰＵ１０に通知される。ＣＰＵ１０は、フォーカスモータドライバ４０Ｂを制御してフォーカスレンズ４０を移動させながら、複数のＡＦ検出ポイントで焦点評価値（ＡＦ評価値）を演算し、演算した焦点評価値が極大となるレンズ位置を合焦位置として決定する。そして、ＣＰＵ１０は、求めた合焦位置にフォーカスレンズ４０を移動させるようにフォーカスモータドライバ４０Ｂを制御する。なお、ＡＦ評価値の演算はＧ信号を利用する態様に限らず、輝度信号（Ｙ信号）を利用してもよい。
【００５４】
撮影スイッチが半押しされ、Ｓ１オンによってＡＥ／ＡＦ処理が行われ、撮影スイッチが全押しされ、Ｓ２オンによって記録用の撮影動作がスタートする。Ｓ２オンに応動して取得された画像データは画像信号処理回路５６において輝度／色差信号（Ｙ／Ｃ信号）に変換され、ガンマ補正等の所定の処理が施された後、メモリ２０に格納される。
【００５５】
メモリ２０に格納されたＹ／Ｃ信号は、圧縮伸張回路６８によって所定のフォーマットに従って圧縮された後、メディアコントローラ３２を介して記録メディア３０に記録される。例えば、静止画についてはＪＰＥＧ（Joint Photographic Experts Group）形式、動画についてはＡＶＩ（Audio Video Interleaving）形式の画像ファイルとして記録される。
【００５６】
［再生モード］
モード選択スイッチにより再生モードが選択されると、記録メディア３０に記録されている最終の画像ファイル（最後に記録された画像ファイル）の圧縮データが読み出される。最後の記録に係る画像ファイルが静止画ファイルの場合、この読み出された画像圧縮データは、圧縮伸張回路６８を介して非圧縮のＹ／Ｃ信号に伸張され、画像信号処理回路５６及びビデオエンコーダ５８を介して表示用の信号に変換された後、画像表示装置２６に出力される。これにより、当該画像ファイルの画像内容が画像表示装置２６の画面上に表示される。
【００５７】
静止画の１コマ再生中（動画の先頭フレーム再生中も含む）に、十字キーの右キー又は左キーを操作することによって、再生対象の画像ファイルを切り換えること（順コマ送り／逆コマ送り）ができる。コマ送りされた位置の画像ファイルが記録メディア３０から読み出され、上記と同様にして静止画像や動画が画像表示装置２６に再生表示される。
【００５８】
また、再生モード時に、パーソナルコンピュータやテレビ等の外部ディスプレイがビデオ入出力端子７０を介して撮影装置１に接続されている場合には、記録メディア３０に記録されている画像ファイルはビデオ出力回路７２により処理されて外部ディスプレイに再生表示される。
【００５９】
［露出制御方法］
次に、本実施形態の露出制御におけるＣＰＵ１０の処理の流れについて、図２のフローチャートを参照して説明する。まず、撮影モード時においてフラッシュ発光モードに設定され、撮影スイッチが半押しされると（Ｓ１オン）、ＣＣＤ３６から出力された画像データに対してＡＥ、ＡＦ処理が実行される（ステップＳ１０、Ｓ１２）。そして、撮影感度が高感度（例えば、撮影感度の設定可能な最大値）に設定されて（ステップＳ１４）、プリ発光が行われ、ＣＣＤ３６から画像データ（プリ発光画像）が取り込まれる（ステップＳ１６）。
【００６０】
次に、図３に示すように、ステップＳ１６において取り込まれた画像データが８×８の分割エリア（１，…，６４）に分割されて、各分割エリアの画像信号（例えば、Ｇ信号又は輝度信号）の積算値が取得される（ステップＳ１８）。
【００６１】
次に、上記プリ発光画像において、積算値（Ｎ）が閾値Ａより大きい分割エリアの数ＬＦが計数される（ステップＳ２２からＳ２８）。まず、図３の分割エリアの番号に対応するパラメータＮが１に（ステップＳ２０）、パラメータＬＦがゼロに設定される。その次に、積算値（Ｎ）が閾値Ａより大きい場合には（ステップＳ２２のＹｅｓ）、パラメータＬＦに１が加算され（ステップＳ２４）、パラメータＮに１が加算され（ステップＳ２６）、ステップＳ２２に戻る。一方、積算値（Ｎ）が閾値Ａ以下の場合には（ステップＳ２２のＮｏ）、パラメータＮに１が加算されて（ステップＳ２６）、ステップＳ２２に戻る。そして、上記ステップＳ２２からＳ２６の工程が繰り返されて、全ての分割エリアの積算値の判定が終わると（Ｎ＝６５、ステップＳ２８のＮｏ）、ステップＳ３０に進む。
【００６２】
次に、積算値が閾値Ａより大きい分割エリアの数ＬＦが閾値Ｂ（例えば、Ｂ＝６〜１０）より大きいかどうかが判定される（ステップＳ３０）。そして、積算値が閾値Ａより大きい分割エリアの数ＬＦが閾値Ｂ以下の場合には（ステップＳ３０のＮｏ）、撮影感度を高感度にした場合のプリ発光時の画像信号の積算値を用いて、本発光時の撮影感度、露出値、フラッシュ発光部６４の発光量（発光時間及び発光強度）が算出、設定されて（ステップＳ３２、Ｓ３４）、本発光撮影が行われる（ステップＳ３６）。
【００６３】
一方、図４（ａ）の例のように（ＬＦ＝４５）、積算値が閾値Ａより大きい分割エリアの数ＬＦが閾値Ｂより大きい場合には（ステップＳ３０のＹｅｓ）、撮影感度が高感度より低い中感度に設定されて（ステップＳ３８のＹｅｓ、ステップＳ４０）、ステップＳ１６に戻る。そして、中感度の設定の下、再度プリ発光が行われて画像データが取り込まれ、ステップＳ１６からＳ２８の工程の後、中感度の設定時におけるプリ発光画像において、積算値が閾値Ａより大きい分割エリアの数ＬＦが閾値Ｂより大きいかどうかが判定される（ステップＳ３０）。
【００６４】
積算値が閾値Ａより大きい分割エリアの数ＬＦが閾値Ｂ以下の場合には（ステップＳ３０のＮｏ）、撮影感度を中感度にした場合のプリ発光時の画像信号の積算値を用いて、本発光時の撮影感度、露出値、フラッシュ発光部６４の発光量（発光時間及び発光強度）が算出、設定されて（ステップＳ３２、Ｓ３４）、本発光撮影が行われる（ステップＳ３６）。
【００６５】
一方、図４（ｂ）の例のように（ＬＦ＝１１）、積算値が閾値Ａより大きい分割エリアの数ＬＦが閾値Ｂより大きい場合には（ステップＳ３０のＹｅｓ）、撮影感度が中感度より低い低感度（例えば、撮影感度の設定可能な最小値）に設定されて（ステップＳ３８のＮｏ、ステップＳ４２のＹｅｓ、ステップＳ４４）、ステップＳ１６に戻る。そして、低感度の設定の下、再度プリ発光が行われて画像データが取り込まれ、ステップＳ１６からＳ２８の工程の後、低感度の設定時におけるプリ発光画像において、積算値が閾値Ａより大きい分割エリアの数ＬＦが閾値Ｂより大きいかどうかが判定される（ステップＳ３０）。
【００６６】
図４（ｃ）の例のように（ＬＦ＝０）、積算値が閾値Ａより大きい分割エリアの数ＬＦが閾値Ｂ以下の場合には（ステップＳ３０のＮｏ）、撮影感度を低感度にした場合のプリ発光時の画像信号の積算値を用いて、本発光時の撮影感度、露出値、フラッシュ発光部６４の発光量（発光時間及び発光強度）が算出、設定されて（ステップＳ３２、Ｓ３４）、本発光撮影が行われる（ステップＳ３６）。また、積算値が閾値Ａより大きい分割エリアの数ＬＦが閾値Ｂより大きい場合にも（ステップＳ３０のＹｅｓ、ステップＳ３８のＮｏ、ステップＳ４２のＮｏ）、撮影感度を低感度にした場合のプリ発光時の画像信号の積算値を用いて、本発光時の撮影感度、露出値、フラッシュ発光部６４の発光量（発光時間及び発光強度）が算出、設定されて（ステップＳ３２、Ｓ３４）、本発光撮影が行われる（ステップＳ３６）。
【００６７】
本実施形態によれば、積算値が高い分割エリアの数が閾値以下になるまで、撮影感度を下げてプリ発光を行うことにより、特に近距離にある被写体が白トビするのを防止することができる。
【００６８】
なお、本実施形態では、積算値が閾値Ａより大きい分割エリアの数ＬＦに応じて、撮影感度の設定を高感度、中感度、低感度の順に下げるようにしたが、低感度、中感度、高感度の順に上げて、ＬＦの値が閾値Ｂ以下になる設定のうち最も高感度の設定時の積算値を用いて本発光撮影時の露出を制御するようにしてもよい。
【００６９】
また、撮影感度を低感度に設定しても、ＬＦの値が閾値より大きい場合には、例えば、フラッシュ発光部６４の発光時間、発光強度を低下させるようにしてもよい。
【００７０】
［第２の実施形態］
次に、本発明の第２の実施形態に係る露出制御方法について、図５のフローチャートを参照して説明する。まず、撮影モード時においてフラッシュ発光モードに設定され、撮影スイッチが半押しされると（Ｓ１オン）、ＣＣＤ３６から出力された画像データに対してＡＥ、ＡＦ処理が実行される（ステップＳ５０、Ｓ５２）。そして、フラッシュ発光部６４の発光時間が小発光に設定されて（ステップＳ５４）、プリ発光が行われ、ＣＣＤ３６から画像データ（プリ発光画像）が取り込まれる（ステップＳ５６）。
【００７１】
次に、ステップＳ５６において取り込まれた画像データが８×８の分割エリア（１，…，６４）に分割されて、各分割エリアの画像信号（例えば、Ｇ信号又は輝度信号）の積算値が取得される（ステップＳ５８）。
【００７２】
次に、積算値（Ｎ）が閾値Ａより大きい分割エリアの数ＬＦが計数される（ステップＳ６２からＳ６８）。まず、図３の分割エリアの番号に対応するパラメータＮが１に（ステップＳ６０）、パラメータＬＦがゼロに設定される。その次に、積算値（Ｎ）が閾値Ａより大きい場合には（ステップＳ６２のＹｅｓ）、パラメータＬＦに１が加算され（ステップＳ６４）、パラメータＮに１が加算され（ステップＳ６６）、ステップＳ６２に戻る。一方、積算値（Ｎ）が閾値Ａ以下の場合には（ステップＳ６２のＮｏ）、パラメータＮに１が加算されて（ステップＳ６６）、ステップＳ６２に戻る。そして、上記ステップＳ６２からＳ６６の工程が繰り返されて、全ての分割エリアの積算値の判定が終わると（Ｎ＝６５、ステップＳ６８のＮｏ）、ステップＳ７０に進む。
【００７３】
次に、積算値が閾値Ａより大きい分割エリアの数ＬＦが閾値Ｂ（例えば、Ｂ＝６〜１０）より大きいかどうかが判定される（ステップＳ７０）。そして、積算値が閾値Ａより大きい分割エリアの数ＬＦが閾値Ｂ以下の場合には（ステップＳ７０のＮｏ）、撮影感度を高感度にした場合のプリ発光時の画像信号の積算値を用いて、本発光時の撮影感度、露出値、フラッシュ発光部６４の発光量（発光時間及び発光強度）が算出、設定されて（ステップＳ７２、Ｓ７４）、本発光撮影が行われる（ステップＳ７６）。
【００７４】
一方、図６（ａ）の例のように（ＬＦ＝１１）、積算値が閾値Ａより大きい分割エリアの数ＬＦが閾値Ｂより大きい場合には（ステップＳ７０のＹｅｓ）、発光時間が小発光より短い微小発光に設定されて（ステップＳ７８のＹｅｓ、ステップＳ８０）、ステップＳ５６に戻る。そして、微小発光の設定の下、再度プリ発光が行われて画像データが取り込まれ、ステップＳ５６からＳ６８の工程の後、微小発光の設定時におけるプリ発光画像において、積算値が閾値Ａより大きい分割エリアの数ＬＦが閾値Ｂより大きいかどうかが判定される（ステップＳ７０）。
【００７５】
図６（ｂ）の例のように（ＬＦ＝０）、積算値が閾値Ａより大きい分割エリアの数ＬＦが閾値Ｂ以下の場合には（ステップＳ７０のＮｏ）、撮影感度を低感度にした場合のプリ発光時の画像信号の積算値を用いて、本発光時の撮影感度、露出値、フラッシュ発光部６４の発光量（発光時間及び発光強度）が算出、設定されて（ステップＳ７２、Ｓ７４）、本発光撮影が行われる（ステップＳ７６）。また、積算値が閾値Ａより大きい分割エリアの数ＬＦが閾値Ｂより大きい場合にも（ステップＳ７０のＹｅｓ、ステップＳ７８のＮｏ）、撮影感度を低感度にした場合のプリ発光時の画像信号の積算値を用いて、本発光時の撮影感度、露出値、フラッシュ発光部６４の発光量（発光時間及び発光強度）が算出、設定されて（ステップＳ７２、Ｓ７４）、本発光撮影が行われる（ステップＳ７６）。
【００７６】
本実施形態によれば、積算値が高い分割エリアの数が閾値以下になるまで、フラッシュ発光部６４の発光時間を短くしてプリ発光を行うことにより、特に近距離にある被写体が白トビするのを防止することができる。
【００７７】
なお、本実施形態では、積算値が閾値Ａより大きい分割エリアの数ＬＦに応じて、フラッシュ発光部６４の発光時間の設定を小発光、微小発光の順に短くするようにしたが、微小発光、小発光の順に長くして、ＬＦの値が閾値Ｂ以下になる設定のうち最も発光時間が長い設定時の積算値を用いて本発光撮影時の露出を制御するようにしてもよい。
【００７８】
また、発光時間を微小発光に設定しても、ＬＦの値が閾値より大きい場合には、例えば、フラッシュ発光部６４の発光量や撮影感度（第１の実施形態参照）を低下させるようにしてもよい。
【００７９】
［第３の実施形態］
次に、本発明の第３の実施形態に係る露出制御方法について、図７のフローチャートを参照して説明する。まず、撮影モード時においてフラッシュ発光モードに設定され、撮影スイッチが半押しされると（Ｓ１オン）、ＣＣＤ３６から出力された画像データに対してＡＥ、ＡＦ処理が実行される（ステップＳ１００、Ｓ１０２）。次に、撮影感度が高感度に設定されて（ステップＳ１０４）、プリ発光が行われ、ＣＣＤ３６から画像データ（プリ発光画像）が取り込まれる（ステップＳ１０６）。そして、ステップＳ１０６において取り込まれた画像データが８×８の分割エリア（１，…，６４）に分割されて、各分割エリアの画像信号の積算値が取得される（ステップＳ１０８）。
【００８０】
次に、撮影感度が中感度に設定されて（ステップＳ１１０）、プリ発光が行われ、プリ発光画像が取り込まれる（ステップＳ１１２）。そして、ステップＳ１１２において取り込まれた画像データの各分割エリアの画像信号の積算値が取得される（ステップＳ１１４）。
【００８１】
次に、撮影感度が低感度に設定されて（ステップＳ１１６）、プリ発光が行われ、プリ発光画像が取り込まれる（ステップＳ１１８）。そして、ステップＳ１１８において取り込まれた画像データの各分割エリアの画像信号の積算値が取得される（ステップＳ１２０）。
【００８２】
また、フラッシュ発光部６４を発光させなかったときの画像（非発光画像）が取り込まれて、非発光画像の各分割エリアの画像信号の積算値が取得される（ステップＳ１２２）。
【００８３】
次に、高感度設定時（ステップＳ１０８）のプリ発光画像から取得した各分割エリアの積算値の最大値が閾値Ｙ（例えば、積算値が頭打ち又は飽和した時の値）より小さい場合、例えば、Ｒ、Ｇ、Ｂの積算値の最大値のうち少なくとも１つが閾値Ｙより小さい場合には（ステップＳ１２４のＹｅｓ）、高感度の場合のプリ発光時の画像信号の積算値を用いて、本発光時の撮影感度、露出値、フラッシュ発光部６４の発光量（発光時間及び発光強度）が算出、設定されて（ステップＳ１２６、Ｓ１２８）、本発光撮影が行われる（ステップＳ１３０）。
【００８４】
図８は、フラッシュ発光時間とΔＥｖ値の関係を示すテーブルを図示したグラフである。フラッシュ発光時間を算出する際には、まず、プリ発光時の画像から算出した積算値：ipre、非発光時の画像から算出した積算値：ith、目標積算値：iob、プリ発光時の撮影感度（ＳＶ値）：Sv_pre、本発光時の撮影感度（ＳＶ値）：Sv_recが下記の式（１）に代入されて、ΔＥｖ値が算出される：
ΔEv＝log｛iob／（ipre−ith）｝／log２＋（Sv_pre−Sv_rec）    …（１）
そして、算出したΔＥｖ値と図８のテーブルからフラッシュ発光時間が算出される。
【００８５】
一方、高感度設定時のプリ発光画像（ステップＳ１０８）から取得した各分割エリアの積算値の最大値が閾値Ｙ以上で（ステップＳ１２４のＮｏ）、且つ、中感度設定時のプリ発光画像（ステップＳ１１４）から取得した各分割エリアの積算値の最大値が閾値Ｙより小さい場合には（ステップＳ１３２のＹｅｓ）、中感度の場合のプリ発光時の画像信号の積算値を用いて、本発光時の撮影感度、露出値、フラッシュ発光部６４の発光量（発光時間及び発光強度）が算出、設定されて（ステップＳ１３４、Ｓ１２８）、本発光撮影が行われる（ステップＳ１３０）。
【００８６】
一方、中感度設定時のプリ発光画像（ステップＳ１１４）から取得した各分割エリアの積算値の最大値が閾値Ｙ以上の場合には（ステップＳ１３２のＮｏ）、低感度の場合のプリ発光時の画像信号の積算値を用いて、本発光時の撮影感度、露出値、フラッシュ発光部６４の発光量（発光時間及び発光強度）が算出、設定されて（ステップＳ１３６、Ｓ１２８）、本発光撮影が行われる（ステップＳ１３０）。
【００８７】
本実施形態によれば、プリ発光画像から得られた分割エリアの積算値の最大値が閾値以下になるもの、即ち、画像信号が頭打ちになったり、飽和した分割エリアを含まないプリ発光画像のうち最も高い撮影感度で撮影されたものに基づいて露出制御を行うことにより、特に近距離にある被写体が白トビするのを防止することができる。
【００８８】
なお、本実施形態では、撮影感度ごとに積算値を取得するようにしたが、例えば、フラッシュ発光部６４の発光時間や発光量を変化させて積算値を取得して、また、上記第１から第３の各実施形態において、分割エリアの数及び閾値Ｂは、画像のサイズ等に応じて変更されるようにしてもよい。例えば、遠くの被写体を撮影する場合のように、画像中に多くの被写体が含まれる場合にはズーム位置に応じて分割エリアの数を多く、マクロ撮影のように、画像中に占める被写体の数が少ない場合にはマクロモードの設定やズーム位置に応じて分割エリアの数を少なくするようにしてもよい。
【図面の簡単な説明】
【００８９】
【図１】本発明の第１の実施形態に係る撮影装置の主要構成を示すブロック図
【図２】本発明の第１の実施形態の露出制御方法を示すフローチャート
【図３】画面分割エリアを示す図
【図４】分割エリアごとの積算値を視覚的に示した図
【図５】本発明の第２の実施形態の露出制御方法を示すフローチャート
【図６】分割エリアごとの積算値を視覚的に示した図
【図７】本発明の第３の実施形態の露出制御方法を示すフローチャート
【図８】フラッシュ発光時間とΔＥｖ値の関係を示すテーブルを図示したグラフ
【符号の説明】
【００９０】
１…撮影装置、１０…中央処理装置（ＣＰＵ）、１２…電源回路、１４…バス、１６…ＲＯＭ、１８…ＥＥＰＲＯＭ、２０…メモリ（ＳＤＲＡＭ）、２２…ＶＲＡＭ、２４…操作スイッチ、２６…画像表示装置、２８…メディアソケット、３０…記録メディア、３２…メディアコントローラ、３４…外部接続インターフェース部（外部接続Ｉ／Ｆ）、３６…ＣＣＤ、３８…レンズユニット、４０…フォーカスレンズ、４２…ズームレンズ、４４…撮影レンズ、４６…絞り兼用メカシャッタ、４８…タイミングジェネレータ（ＴＧ）、５０…アナログ処理部（ＣＤＳ／ＡＭＰ）、５２…Ａ／Ｄ変換器、５４…画像入力コントローラ、５６…画像信号処理回路、５８…ビデオエンコーダ、６０…ＡＦ検出回路、６２…ＡＥ／ＡＷＢ検出回路、６４…フラッシュ発光部、６６…フラッシュ制御回路、６８…圧縮伸張回路、７０…ビデオ入出力端子、７２…ビデオ出力回路
【図１】
2008083243.tif 000003
【図２】
2008083243.tif 000004
【図３】
2008083243.tif 000005
【図４】
2008083243.tif 000006
【図５】
2008083243.tif 000007
【図６】
2008083243.tif 000008
【図７】
2008083243.tif 000009
【図８】
2008083243.tif 000010